(57)【要約】【課題】簡易な操作で表示画像の拡大縮小処理が可能な表示装置を提供する。【解決手段】表示部１０１は、画像表示などを行うもので、それぞれ独立した複数の画像表示器からなる。音声出力部１０３は、表示部１０１に表示された画像などに対応する音声を出力する。記憶部１０４は、表示部１０１に表示するための画像データや、音声出力部１０３から出力するための音声データ、各種コンテンツデータなどを記憶する。スイッチ部１０５は、ユーザが入力する各指示を検出する。入出力部１０６は、各画像表示器間における画像データや音声データなどの入出力を行う。電源部１０７は、各機能部へ電流を供給する。制御部１０８は、一つの画像表示器に表示された画像を表示部１０１全体へ拡大表示する。また、表示部１０１全体に表示された画像を一つの画像表示器に縮小表示する。【選択図】図１
2007219312.tif 000002
【特許請求の範囲】
【請求項１】
複数の画像表示器からなる折り畳み可能な表示手段と、
少なくとも画像データを有するコンテンツデータを記憶する記憶手段と、
前記表示手段に画像を表示させる制御を行う制御手段と、を備え、
前記制御手段は、
前記複数の画像表示器の各々に異なる画像を前記表示手段に表示させる第１の表示形態と、前記表示手段に表示された画像の中から選択された１つの画像を前記表示手段に拡大表示する第２の表示形態とを切換る制御を行うことを特徴とする表示装置。
【請求項２】
ユーザからの入力を検知する検知手段をさらに備え、
前記制御手段は、
前記検知手段の検知結果に基づいて、前記第１の表示形態と前記第２の表示形態とを切換ることを特徴とする請求項１に記載の表示装置。
【請求項３】
前記記憶手段は、
各々の画像表示器に備えられた第１の記憶手段と、
前記第１の記憶手段より記憶容量の大きい前記表示手段に備えられた第２の記憶手段と、から構成されていることを特徴とする請求項１または２に記載の表示装置。
【請求項４】
前記制御手段は、
第１の表示形態では、前記第１の記憶手段に記載された画像データを用いて前記画像表示器に画像を表示させることを特徴とする請求項３に記載の表示装置。
【請求項５】
前記画像表示器は、他の画像表示器と通信を行う通信手段をさらに有し、
前記制御手段は、
前記第１の表示形態から前記第２の表示形態への切換を行う際に、選択された画像を表示させている画像表示器の画像データを、前記通信手段を介して他の画像表示器へ配信することを特徴とする請求項１〜４のいずれか一つに記載の表示装置。
【請求項６】
前記第１の記憶手段には、
前記第１の表示形態のための第１の画像データと、
前記第２の表示形態のための第２の画像データと、
が記憶されており、
前記第２の画像データは、前記通信手段を介して配信された画像データであることを特徴とする請求項５に記載の表示装置。
【請求項７】
前記制御手段は、
前記第１の表示形態では、前記第１の画像データを用いて画像表示を行い、
前記第２の表示形態では、前記第２の画像データを用いて画像表示を行うことを特徴とする請求項６に記載の表示装置。
【請求項８】
前記画像表示器の各々は可撓性を有する接続部材を介して接続されていることを特徴とする請求項１〜６のいずれか一つに記載の表示装置。
【請求項９】
前記表示手段は、
各画像表示器間の接続部で山折りまたは谷折りが可能であり、前記接続部材を折り目として所定の規則性をもって折り畳むことにより、一軸方向への伸縮によって開閉自在に表構成されていること、を特徴とする請求項８に記載の表示装置。
【発明の詳細な説明】
【技術分野】
【０００１】
この発明は、複数の画像表示器を備える表示装置に関する。ただし、この発明の利用は、上述した表示装置には限られない。
【背景技術】
【０００２】
近年、情報処理技術の発達にともない、各種情報を表示するための表示装置もさまざまな形態のものが提案されている（たとえば、特許文献１，２を参照。）。
【０００３】
特許文献１に開示されている技術は、独立した複数の表示手段とこれを接続するフレキシブルジョイントとによって構成された表示装置である。この表示装置は、折り畳んで収納して小型化することができ、またそれぞれの画面に違った映像を映し出すこともできる。
【０００４】
また、特許文献２に開示されている技術は、観客や装置による死角を生ずることなく、全天周を一連の画像として表示可能な表示装置である。
【０００５】
【特許文献１】特開平９−３１１７３７号公報
【特許文献２】特開２００３−２１６１３４号公報
【発明の開示】
【発明が解決しようとする課題】
【０００６】
特許文献１に開示された表示装置は、折り畳み可能であることから携帯には便利である。しかしながら、折り畳む場合、その都度フレキシブルジョイントを取り外すことが必要となるので、使い勝手が悪いという問題がある。また、表示手段全体に表示した画像を簡単な操作で独立した複数の表示手段のうちのいずれか一つに縮小表示したり、その反対に独立した複数の表示手段のうちのいずれか一つに表示した画像を簡単な操作で表示手段全体に拡大表示したりすることはできないという問題もある。
【０００７】
また、特許文献２に開示された表示装置は、全天周に一連の画像を表示することで、観客や装置による死角を排除することができる。しかしながら、この表示装置も、表示手段全体に表示した画像を簡単な操作で表示手段の一部に縮小表示したり、その反対に表示手段の一部に表示した画像を簡単な操作で表示手段全体に拡大表示したりすることはできない。
【課題を解決するための手段】
【０００８】
請求項１に記載の発明にかかる表示装置は、複数の画像表示器からなる折り畳み可能な表示手段と、少なくとも画像データを有するコンテンツデータを記憶する記憶手段と、前記表示手段に画像を表示させる制御を行う制御手段と、を備え、前記制御手段は、前記複数の画像表示器の各々に異なる画像を前記表示手段に表示させる第１の表示形態と、前記表示手段に表示された画像の中から選択された１つの画像を前記表示手段に拡大表示する第２の表示形態とを切換る制御を行うことを特徴とする。
【発明を実施するための最良の形態】
【０００９】
以下、添付図面を参照して、この発明にかかる表示装置の好適な実施の形態を詳細に説明する。
【００１０】
図１は、この発明の実施の形態にかかる表示装置の機能的構成を示すブロック図である。図１に示すように、この表示装置１００は、表示部１０１と、バスライン１０２と、音声出力部１０３と、記憶部１０４と、スイッチ部１０５と、入出力部１０６と、電源部１０７と、制御部１０８とで構成され、バスライン１０２を介して各機能部が接続されている。
【００１１】
表示部１０１は、画像表示などを行うもので、それぞれ独立した複数の画像表示器からなる。各画像表示器は、それぞれたとえば平行四辺形、菱形、台形形状のフィルム材またはガラス基板などにより構成されている。なお、画像表示器を菱形のフィルム材またはガラス基板で構成する場合には、その菱形のフィルム材またはガラス基板を二枚の三角形のフィルム材またはガラス基板で構成してもよい。
【００１２】
音声出力部１０３は、表示部１０１に表示された画像などに対応する音声を出力する。
【００１３】
記憶部１０４は、表示部１０１に表示するための画像データや、音声出力部１０３から出力するための音声データなどの各種コンテンツデータ及びそのメモリ上のアドレスや目次などの管理情報などを記憶する。また、表示装置１００の制御プログラムを格納している。また、ユーザインターフェースとしての操作メニュー画面、ユーザにより設定された設定情報（表示色や初期動作モードなど）、あるいは最後に視聴していたラストコンテンツデータに関する情報を保持する機能を有する。
【００１４】
スイッチ部１０５は、ユーザが入力する各指示を検出する。または、リモコンなどによる指令を受信する受信部としての機能を持たせても良い。
【００１５】
入出力部１０６は、外部から伝送されるコンテンツデータ（画像データや音声データなど）を通信、記録媒体などの様々な伝送路を介して取得する。取得されたコンテンツデータは記憶部１０４へ格納される。さらに、入出力部１０６は、表示装置１００からコンテンツデータを外部へ出力する。たとえば、入出力部１０６に音響装置であるヘッドホンなどを接続することで、表示部１０１に表示された画像に対応する音声をユーザがヘッドホンを介して聞くことができる。また、表示装置１００とは別の第２の表示装置であるモニタ等が周囲に存在する場合は、第２の表示装置へコンテンツデータを出力するように構成してもよい。なお、入出力部１０６はライン、電磁波、光通信、メモリカードなど数々の伝送媒体による各データの入出力に対応できるようになっている。
【００１６】
さらに、この表示装置１００は、記憶部１０４を備えていることから、電源切断時に、制御部１０８の処理により、表示部１０１に最後に表示された画像（またはその画像データのメモリ上の格納アドレスなど）を記憶しておくこともできる。また、電源投入時に、記憶部１０４に記憶された画像を再表示することもできる。
【００１７】
電源部１０７は、シート状電池などで構成され、各機能部１０１〜１０９へ電流を供給する。
【００１８】
制御部１０８は、記憶部１０４に格納された制御プログラムに基づいて動作し、表示装置１００全体の制御を行う。
【００１９】
バスライン１０２は、各機能部をつなぐ信号制御ラインであり、各機能部間における各種信号やデータなどの伝達を行う。
【００２０】
この実施の形態の表示装置１００は、表示部１０１、音声出力部１０３、記憶部１０４、スイッチ部１０５、入出力部１０６、電源部１０７、制御部１０８、およびバスライン１０２が積層されて構成される。そして、接続部在で接続された、表示部１０１を構成する前記各画像表示器の接続部分を折り目として所定の規則性をもって表示装置１００を折り畳むことができるようになっている。
【００２１】
この表示装置１００は、たとえば完全な折り畳み状態で複数の画像表示器を一つの画像表示器上に重ね合わせて折り畳むことができる構造を備えている。具体的には、表示装置１００は、完全な折り畳み状態で表面積が二つの画像表示器を並べた大きさより小さくなるように構成されている。
【００２２】
また、表示部１０１を構成する複数の画像表示器を、各画像表示器間の接続部で山折りまたは谷折りが可能になる接続部材で接続すれば、表示部１０１を折り畳むこともできる。この場合の折り畳み方としては、いわゆるミウラ折りを採用すれば、一軸方向に伸縮することで容易に開閉できるので好都合である。すなわち、ミウラ折りを採用することで、表示部１０１の完全展開時における対向端の部分（異なる二つの部分）をもって、さっと左右に引っ張れば一瞬にして広がるし、折り畳むのも瞬時に完了させることができるようになる。
【００２３】
図２は、この発明の実施の形態にかかる表示装置の機能の概略を説明するための図である。前述のように、この実施の形態の表示装置１００は、複数の独立した画像表示器を備えているため、それぞれの画像表示器に異なる画像を表示することができる（第１の表示形態）。そして、表示装置１００の表示部２００を構成する一つの画像表示器２０１に表示されている画像を、表示部２００全体に拡大表示することが可能になる（第１の表示形態）。また、表示部２００全体に表示されている画像を、表示部２００を構成する一つの画像表示器２０１に縮小表示することもできる。このように、第１の表示形態と第２の表示形態を切り替えて表示することができる。
【００２４】
拡大表示する画像（第２の表示形態で表示される画像）は、ユーザが選択しても良いし、予めインストールされているプログラムに基づいて自動的に選択されるようにしてもよい。また、拡大表示（第２の表示形態）から個々の画像表示器２０１に異なる画像を表示させる表示形態（第１の表示形態）の切換についても、ユーザの操作あるいは指示により切り替えても良いし、予めインストールされているプログラムに基づいて、例えば所定時間を経過後に自動的に切り替えるようにしてもよい。
【実施例】
【００２５】
図３は、この発明の実施例にかかる表示装置の形状を示す模式図である。この表示装置３００は、複数の平行四辺形の画像表示器３０１と、複数の台形の画像表示器３０２と、これらを接続する接続部材３０３ａ，３０３ｂ，３０４ａ，３０４ｂ，３０５と、を備えて構成される。
【００２６】
この表示装置３００の折り畳み方としては、いわゆるミウラ折り（登録商標）を採用すれば、一軸方向に伸縮することで容易に開閉できるので好都合である。すなわち、ミウラ折りを採用することで、表示装置１００の完全展開時における対向端の部分（異なる二つの部分）をもって、さっと左右に引っ張れば一瞬にして広がるし、折り畳むのも瞬時に完了させることができるようになる。なお、この表示装置３００は、ミウラ折り（登録商標）以外の折り畳み方で折り畳んでも差し支えない。
【００２７】
接続部材３０３ａ，３０３ｂ，３０４ａ，３０４ｂ，３０５は画像表示器３０２の変位（開き具合）に応じて電位を発生する変位検出手段を有している。図示せぬ制御部により、変位検出手段が発生した電位の大きさを検出することで、表示装置３００が完全な折り畳み状態から所定程度に開かれた状態にあるのか、それとも完全展開時から所定程度に折り畳まれた状態にあるのかなどを判別する。そして、表示装置３００が完全な折り畳み状態から所定程度に開かれた状態になった場合に、図示せぬ電源部から各機能部への電流の供給が開始される。また、表示装置３００が完全展開時から所定程度に折り畳まれた状態になった場合に、電源部から各機能部への電流の供給が切断される。
【００２８】
平行四辺形の画像表示器３０１は、すべて同じ大きさで、フィルム材またはガラス基板により構成されている。また、台形の画像表示器３０２も、すべて同じ大きさで、フィルム材またはガラス基板により構成されている。図３に示した表示装置３００では、複数の平行四辺形の画像表示器３０１と、複数の台形の画像表示器３０２とを組み合わせて、長方形の表示画面を実現する。
【００２９】
接続部材３０３ａ，３０３ｂは、図３における縦方向に配列された、画像表示器３０１と画像表示器３０２、または画像表示器３０１同士を接続する。接続部材３０４ａ，３０４ｂは、図３における横方向に配列された、画像表示器３０１同士、または画像表示器３０２の下底同士を接続する。接続部材３０５は、横方向に配列された画像表示器３０２の上底同士を接続する。
【００３０】
ここで、接続部材３０３ａ，３０３ｂ，３０４ａ，３０４ｂ，３０５を蝶番や樹脂材質により構成すれば、接続部材３０３ａ，３０３ｂ，３０４ａ，３０４ｂ，３０５を折り目として表示装置３００を折り畳むことができる。このときの折り畳み方には、いわゆるミウラ折り（登録商標）を採用するとよい。このようにすることで、山折りの部分と谷折りの部分が交互になるよう折り畳むことができる。
【００３１】
すなわち、まず、表示装置３００を、接続部材３０３ａに沿って山折り、接続部材３０３ｂに沿って谷折りにする。続けて、接続部材３０４ａに沿って山折り、接続部材３０４ｂに沿って谷折りにする。さらに、接続部材３０５に沿って山折りにする。このようにすることで、例えば点３００ａ，３００ｂの部分をつまんでさっと左右に引っ張れば一瞬にして表示装置３００を広げることができる。また、その状態で、点３００ａ，３００ｂの部分をつまんで軽く押すだけで表示装置３００を折り畳むことができる。
【００３２】
次に、この表示装置３００を構成する各画像表示器の構造について説明する。
【００３３】
図４は、操作機能および制御機能を備えた画像表示器の構造の一例を示す図である。この画像表示器は、基盤層４０１上に、半導体層４０２と、バスライン層４０３と、表示層４０４と、操作検出層４０５と、保護層４０６とが順次積層されて構成される。半導体層４０２は、有機半導体などからなる。この半導体層４０２は、当該画像表示器全体の制御を行う。また、他の画像表示器の制御を行うこともできる。さらに、この半導体層４０２は、表示層４０４に表示するための画像データや、後述する振動層から出力するための音声データ、各種コンテンツデータ、表示装置３００の制御プログラムなどを記憶する記憶機能を備えている。また、画像表示に用いるビデオメモリ、バッファメモリ、表示制御ＩＣなどを形成するように構成しても良い。バスライン層４０３は、当該画像表示器の各機能部や他の画像表示器へ画像データ、音声データ、制御信号、および電流などを導く層である。このバスライン層４０３には、他の画像表示器に対する各種画像データや制御信号などの送受信を行うための送受信手段が設けられている（詳細は後述する）。表示層４０４は、有機ＥＬディスプレイ、液晶ディスプレイや電子ペーパなどの薄型ディスプレイなどからなり、画像などの表示を行う層である。操作検出層４０５は、図１に示したスイッチ部１０５に相当するものであり、ユーザからの入力情報を検出するためのタッチパネルからなる。したがって、ユーザが指などで保護層４０６上から操作検出層４０５を押下することにより、表示装置３００の制御を行うことができる。保護層４０６は、透明樹脂などからなり、操作検出層４０５を保護するための層である。
【００３４】
この実施例の表示装置３００では、各画像表示器に設けられたバスライン層４０３を介して各種画像データや制御信号などの送受信を行う。このため、バスライン層４０３には、各種データや制御信号などの送受信を行うための送受信手段（通信手段）が設けられている。
【００３５】
図５、図６は、バスライン層４０３の概略構成の一例を示す図である。図５は、バスライン層４０３の外周近傍に透明電極で構成したループアンテナ５０１を設けた例を示している。バスライン層４０３にループアンテナ５０１を設けた場合は、各画像表示器間における各種データなどの送受信は、電磁波によって行われる。また、図６は、バスライン層４０３に光送受信器６０１を設けた例を示している。バスライン層４０３に光送受信器６０１を設けた場合は、各画像表示器間における各種データなどの送受信は、光通信によって行われる。このようにバスライン層４０３を構成することで、各画像表示器間にフィルム状のバスラインを設けなくても各種データなどの送受信が可能になる。このため、各画像表示器間の接続部で折り曲げることができるようにした場合、装置の折り曲げ耐久性能が向上する。
【００３６】
図７は、操作機能、制御機能および音声出力機能を備えた画像表示器の構造の一例を示す図である。この画像表示器は、振動層７０１上に、半導体層４０２と、バスライン層４０３と、表示層４０４と、操作検出層４０５と、保護層４０６とが順次積層されて構成される。振動層７０１は、図４に示した基盤層４０１と同等の厚さに形成されており、バスライン層４０３を介して送られてきた音声データを出力することができる。この振動層７０１は、いわゆるスピーカであり図１に示した音声出力部１０３に相当する。制御部１０８の制御の元、記憶部１０４から読み出された音声データに基づいて振動層７０１が振動することにより音を発生させる。
【００３７】
図８は、操作機能、制御機能および電源を備えた画像表示器の構造の一例を示す図である。この画像表示器は、シート電源層８０１上に、半導体層４０２と、バスライン層４０３と、表示層４０４と、操作検出層４０５と、保護層４０６とが順次積層されて構成される。シート電源層８０１は、図４に示した基盤層４０１と同等の厚さに形成されており、表示層４０４や他の画像表示器などへ電流を供給するためのものである。この画像表示器は、シート電源層８０１を備えているので、他から電流の供給を受けることなく、画像などの表示制御を行うことができる。
【００３８】
この発明の実施例にかかる表示装置３００は、図４，７，８に示した画像表示器を複数接続することで実現することができる。これらの画像表示器は、いずれも６層構造で、すべてが同じ厚さになるように構成されているので、各画像表示器を接続して表示装置３００を構成しても、装置の部分ごとに厚さが異なるといった不自然さはない。また、表示装置３００を構成する際の各画像表示器の配置位置は、表示装置としてどのような機能が要求されているかにより異なるが、図７および図８に示した画像表示器は少なくともそれぞれ一つは必要になる。
【００３９】
図９、図１０は、表示装置３００の接続部材の構成を説明するための図である。図８に示すように、この表示装置３００は、各画像表示器が可撓性を有する接続部材で接続されている。そして、変位検出フィルム９０１が前記接続部材内部に備えられる。この変位検出フィルム９０１は、図９に示した形状から変位角度θで折り曲げられることによって図１０に示したように形状が変位し、その変位量に比例した電位を発する。したがって、この変位検出フィルム９０１が発した電位の大きさを図４の制御機能を有する画像表示器の半導体層４０２に設けられた制御部でモニタリングし変化量を検出することで、その変位量を求め、画像表示器の傾き（開き具合）を検出することができる。そこで、変位検出フィルム９０１の変位量を検出し、この検出結果に基づいて電源の投入・切断を制御すれば、電源スイッチに頼らず、表示装置３００の開閉のみで電源の投入・切断を行うことができる。
【００４０】
また、３つ以上の画像表示器を有する表示装置の場合は、画像表示器間の接続部分が２つ以上あることになる。その場合、それぞれの接続部分に設けられている変位検出フィルム９０１の出力はバスラインとして機能するバスライン層４０３を介して制御機能を有する画像表示器へ伝送される。そして、制御部にて表示装置３００全体の形状的変化を検出し、表示装置３００が開いた状態か閉じられている状態かを判断することができる。
【００４１】
図１１は、この実施例にかかる表示装置における画像データの流れの概要を説明するための図である。この表示装置３００では、まず、装置全体の制御を行う画像表示器が選定されているものとする（図１１の例では左上角の画像表示器Ａ）。この画像表示器Ａの半導体層には表示装置全体の制御を行うための制御プログラムや各種コンテンツデータが記憶されている。ここで、画像表示器Ａの半導体層のデータ記憶容量は、Ａ以外の他の画像表示器の半導体層よりも大きな記憶容量を有するように構成しておくことにより、映像／音声などからなるＡＶ（Ａｕｄｉｏ、Ｖｉｓｕａｌ）データを保持することが可能となる。
【００４２】
そして、画像表示器Ａの制御部（半導体層４０２）からバスライン層４０３を介してすべての画像表示器に向けて画像データを送る。送り出される画像データは、符号／変調処理されている。また、画像データを受け取る画像表示器も制御部（半導体層４０２）を備えており、取得した画像データを復号／復調し、画像表示を行う。また、各画像表示器はすべてアドレスが割り振られている。各画像表示器は、受け取った画像データのなかから自らのアドレスに対応する画像データを表示する。この処理は、各画像表示器の表示層にデーコーダを備えることで実現できる。画像表示器Ａから通信手段であるバスライン層４０３を介して配信された画像データは、各々の画像表示器が有する半導体層の記憶領域に記憶される。画像表示器Ａ以外の半導体層の記憶容量は、画像表示器Ａのものに比べて小さい容量でよい。もちろん、全ての画像表示器の半導体層の記憶容量を、画像表示器Ａの半導体層と同じ容量を有するように構成するようにしてもよいことはいうまでもない。
【００４３】
次に、この発明の実施例にかかる表示装置３００の処理の一例を説明する。まず、この表示装置３００は、１６個の画像表示器で構成されているとする。そして、各画像表示器は、当該画像表示器が表示している画像データをメモリ（半導体層４０２が相当）に保持している。すなわち、各画像表示器には既に画像表示器Ａから各画像表示器にて表示される画像データが配信されている状態である。各画像表示器による画像表示は、画像データを本来の表示領域を縮小した縮小表示となる。
【００４４】
図１２は、画像の拡大処理の開始を説明するための図である。なお、図中のＡ〜Ｐは画像表示器を示している。図１２に示すように、ある画像表示器（たとえば「Ｋ」）に表示されている画像を装置全体に表示させる場合は、当該画像表示器「Ｋ」の表示面をたとえば指で２回たたくことにより可能になるようにする。前述のように、各画像表示器は操作検出層４０５を備えているため、このような制御が可能である。画像表示器は表示面が２回たたかれたことを検出すると、自らが保持している画像データをすべての画像表示器に向けて送信する。画像データを受け取った画像表示器は、自らが画像のどの部分を表示すべきか分かっているので、画像の該当部分のみを表示する。このようにすることで、画像の拡大表示が可能になる。
【００４５】
ところで、画像の拡大表示を行う場合において、各画像表示器間での画像データの送受信にあたって、どのような手法で画像データの送受信を行えば効率のよいデータ送受信が行えるかが問題となる。特に、目的とする画像表示器間での画像データの送受信が何らかの原因で不能となった場合（例えば、ループアンテナや光送受信器の通信素子不良など）に、どのような回避手段を講ずればよいかが問題となる。そこで、この実施例では、以下のような法則（１）〜（７）にしたがって画像データの送受信を行うものとする。
【００４６】
（１）各画像表示器間の通信順序は、画像データを送信しようとする画像表示器の位置を基準に「左」「上」「右」「下」の順に行うものとした。なお、この順序は画像表示器の４方向を順次規則的に全て行うことであれば、どのような順序で行っても良く、たとえば、「上」「下」「左」「右」の順を全ての画像表示機が行うことも可能である。
【００４７】
（２）たとえば、画像表示器「Ａ」が隣の画像表示器「Ｂ」と通信しようとデータラインのキャリアを検出したら、画像表示器「Ｃ」が先に画像表示器「Ｂ」との通信を開始していたような場合は、画像表示器「Ａ」は自分自身にランダムタイマを発生させ、所定時間経過した後再度画像表示器「Ｂ」との通信を開始するようにした。
【００４８】
（３）通信相手の画像表示器に通信済みフラグが立っていた場合には、それを飛び越した画像表示器との通信を行うものとした。
【００４９】
（４）画像データを取得した画像表示器は、自らが保持していた画像データを退避して、新たに受け取った画像データに基づく全体画像に対する自己のパートを表示するものとした。
【００５０】
（５）画像データを送信しようとする画像表示器は、囲まれているすべての画像表示器に通信済みフラグが立っていることを検出した場合（通信すべき相手が隣にない場合も同）には、直ちに通信を終了するものとした。
【００５１】
（６）通信終了した画像表示器は、通信終了の結果を装置全体の制御を行っている画像表示器の制御部（半導体層４０２）へ報告するものとした。
【００５２】
（７）通信終了した画像表示器は、元の表示（縮小表示）モードになるコマンドを待つ状態で待機するものとした。
【００５３】
以下、図面を参照して、各画像表示器間における画像データの送受信を説明する。
【００５４】
図１３〜２４は、拡大画像表示を行う場合の画像データの送受信を説明するための図である。図１３に示すように、ここでは「Ｋ」から画像データの送信が行われるものとする。まず、「Ｋ」が左側に位置する「Ｊ」へ画像データの送信を開始する。続いて、図１４に示すように、「Ｋ」が上側に位置する「Ｇ」に対して画像データを送信する。一方、「Ｊ」も左側に位置する「Ｉ」に対して画像データを送信する。図１５に示すように、「Ｋ」が右側に位置する「Ｌ」に対して画像データを送信する。「Ｇ」が左側に位置する「Ｆ」に対して画像データを送信する。「Ｉ」の左側に通信相手はないので、「Ｉ」は左側へ画像データを送信しない。また、「Ｆ」は先に「Ｋ」との通信を開始しているため、「Ｊ」は上側に位置する「Ｆ」へ画像データを送信しない。
【００５５】
続いて、図１６に示すように、「Ｋ」は下側に位置する「Ｏ」に対して画像データを送信する。すると、「Ｋ」は通信済みとなるため、「Ｊ」および「Ｌ」は「Ｋ」へ画像データを送信しない。「Ｉ」は上側に位置する「Ｅ」に対して画像データを送信する。「Ｅ」は先に「Ｉ」との通信を開始しているため、「Ｆ」は左側に位置する「Ｅ」へ画像データを送信しない。「Ｇ」が上側に位置する「Ｃ」へ画像データを送信する。
【００５６】
続いて、図１７に示すように、「Ｋ」は通信終了となって、当該パートの画像を表示する。「Ｊ」は下側に位置する「Ｎ」に対して画像データを送信する。すると、「Ｊ」は通信済みとなるため、「Ｉ」は右側に位置する「Ｊ」へ画像データを送信しない。「Ｎ」は先に「Ｊ」との通信を開始しているため、「Ｏ」は左側に位置する「Ｎ」へ画像データを送信しない。「Ｅ」の左側に通信相手はないので、「Ｅ」は左側へ画像データを送信しない。「Ｇ」が右側に位置する「Ｈ」へ画像データを送信する。すると、「Ｈ」は先に「Ｇ」との通信を開始しているため、「Ｌ」は上側に位置する「Ｈ」へ画像データを送信しない。「Ｃ」が左側に位置する「Ｂ」へ画像データを送信する。すると、「Ｂ」は先に「Ｃ」との通信を開始しているため、「Ｆ」は上側に位置する「Ｂ」へ画像データを送信しない。
【００５７】
続いて、図１８に示すように、「Ｊ」は通信終了となって、当該パートの画像を表示する。「Ｋ」は通信済みであるため、「Ｇ」および「Ｏ」は「Ｋ」への画像データ送信は行わない。「Ｇ」は通信済みであるため、「Ｆ」および「Ｈ」は「Ｇ」への画像データ送信を行わない。「Ｃ」の上側に通信相手はないので、「Ｃ」は上側へ画像データを送信しない。「Ｌ」の右側に通信相手はないので、「Ｌ」は右側へ画像データを送信しない。「Ｂ」が左側に位置する「Ａ」へ画像データを送信する。すると、「Ａ」は先に「Ｂ」との通信を開始しているため、「Ｅ」は上側に位置する「Ａ」へ画像データを送信しない。「Ｎ」が左側に位置する「Ｍ」へ画像データを送信する。すると、「Ｍ」は先に「Ｎ」との通信を開始しているため、「Ｉ」は下側に位置する「Ｍ」へ画像データを送信しない。
【００５８】
続いて、図１９に示すように、「Ｇ」、「Ｉ」は通信終了となって、当該パートの画像を表示する。「Ｊ」はすでに通信済みになっているため、「Ｆ」および「Ｎ」は「Ｊ」へ画像データを送信しない。また、「Ｆ」も通信済みであるため、「Ｅ」は右側に位置する「Ｆ」へ画像データを送信しない。「Ｌ」は下側に位置する「Ｐ」に対して画像データを送信する。すると、「Ｐ」は先に「Ｌ」との通信を開始しているため、「Ｏ」は右側に位置する「Ｐ」へ画像データを送信しない。「Ｈ」は上側に位置する「Ｄ」に対して画像データを送信する。すると、「Ｄ」は先に「Ｈ」との通信を開始しているため、「Ｃ」は右側に位置する「Ｄ」へ画像データを送信しない。また、「Ｂ」の上側に通信相手はないので、「Ｂ」は上側への画像データ送信を行わない。「Ａ」および「Ｍ」の左側にも通信相手はないので、「Ａ」および「Ｍ」は左側への画像データ送信を行わない。
【００５９】
続いて、図２０に示すように、「Ｆ」、「Ｌ」は通信終了となって、当該パートの画像を表示する。「Ｉ」はすでに通信済みになっているため、「Ｅ」および「Ｍ」は「Ｉ」へ画像データを送信しない。「Ｇ」も通信済みであるため、「Ｃ」は「Ｇ」へ画像データを送信しない。「Ｃ」は通信済みとなるため、「Ｂ」および「Ｄ」は「Ｃ」へ画像データを送信しない。また、「Ｏ」の下側に通信相手はないので、「Ｏ」は下側へ画像データを送信しない。「Ｏ」は通信済みとなるため、「Ｐ」および「Ｎ」は「Ｏ」へ画像データを送信しない。また、「Ｈ」の右側に通信相手はないので、「Ｈ」は右側へ画像データを送信しない。「Ａ」の上側にも通信相手はないので、「Ａ」は上側へ画像データを送信しない。
【００６０】
続いて、図２１に示すように、「Ｅ」、「Ｃ」、「Ｏ」は通信終了となって、当該パートの画像を表示する。「Ｌ」はすでに通信済みになっているため、「Ｈ」および「Ｐ」は「Ｌ」へ画像データを送信しない。「Ｆ」も通信済みであるため、「Ｂ」は下側に位置する「Ｆ」へ画像データを送信しない。すると、「Ｂ」は通信済みとなるため、「Ａ」は右側に位置する「Ｂ」へ画像データを送信しない。また、「Ｎ」の下側に通信相手はないので、「Ｎ」は下側へ画像データを送信しない。すると、「Ｎ」は通信済みとなるため、「Ｍ」は右側に位置する「Ｎ」へ画像データを送信しない。また、「Ｄ」の上側に通信相手はないので、「Ｄ」は上側へ画像データを送信しない。
【００６１】
続いて、図２２に示すように、「Ｂ」、「Ｎ」、「Ｈ」は通信終了となって、当該パートの画像を表示する。「Ｅ」はすでに通信済みになっているため、「Ａ」は下側に位置する「Ｅ」へ画像データを送信しない。また、「Ｍ」の下側に通信相手はないので、「Ｍ」は下側へ画像データを送信しない。「Ｄ」および「Ｐ」の右側にも通信相手はないので、「Ｄ」および「Ｐ」は右側へ画像データを送信しない。
【００６２】
続いて、図２３に示すように、「Ａ」、「Ｍ」は通信終了となって、当該パートの画像を表示する。「Ｈ」はすでに通信済みになっているため、「Ｄ」は下側に位置する「Ｈ」へ画像データを送信しない。また、「Ｐ」の下側に通信相手はないので、「Ｐ」は下側へ画像データを送信しない。すると、図２４に示すように、「Ｄ」、「Ｐ」も通信終了となって、当該パートの画像を表示する。このようにすることで、すべての画像表示器が当該パートの画像を表示し、拡大画像が表示されることになる。
【００６３】
図２５は、画像の縮小処理の開始を説明するための図である。前述した処理により、表示装置３００の表示部全体に表示された画像を元の画像表示器のみに表示させ、それぞれの半導体層に記憶されている画像データを表示させようとする場合は、表示装置３００を構成するいずれかの画像表示器の表示面をたとえば指で２回たたくことにより可能になるようにする。以下、具体的に説明する。
【００６４】
図２６、図２７は、縮小画像表示を行う場合の画像データの処理を説明するための図である。縮小画像表示を行う場合は、図２６に示すように、「Ａ」〜「Ｐ」のいずれかの画像表示器の表示面をたとえば指で２回たたくことにより、図２７に示すように、各画像表示器はいっせいに拡大画像の表示をやめ、元画像（各画像表示器独自の画像）の表示状態（たとえば画像表示器「Ｋ」）に戻る。このようにすることで、縮小画像を表示する。
【００６５】
最後に、この発明の実施例にかかる表示装置３００の一連の処理について、フローチャートで説明する。
【００６６】
図２８−１〜図２８−７は、この発明の実施例にかかる表示装置の処理の手順を示すフローチャートである。なお、図中、Ｅ、Ｄ、Ｍはそれぞれ通信終了フラグ、画像表示フラグ、通信方向フラグを示している。そして、Ｅ＝０は通信未終了を意味し、Ｅ＝１は通信終了を意味する。Ｄ＝０は当該表示器が元来保持している画像データに基づく画像表示を意味し、Ｄ＝１は当該画像表示器が担当するパート部分の画像表示を意味する。Ｍ＝３は左側に位置する画像表示器との通信を意味し、Ｍ＝２は上側に位置する画像表示器との通信を意味し、Ｍ＝１は右側に位置する画像表示器との通信を意味し、Ｍ＝０は下側に位置する画像表示器との通信を意味する。
【００６７】
まず、図２８−１に示すフローチャートにおいて、各フラグの初期値を設定する（ステップＳ１）。なお、初期値はＥ＝０、Ｄ＝０、Ｍ＝３とする。次に、画像表示器がダブルクリックされたか否かを検出する（ステップＳ２）。この実施例の表示装置３００では、拡大表示したい画像が表示されている画像表示器の表示面をダブルクリックすることで、拡大表示するための処理が開始される。ここで、ダブルクリックを検出した画像表示器がない場合（ステップＳ２：Ｎｏ）は、隣接している画像表示器より通信要求があるか否かを検出する（ステップＳ３）。ここで、隣接している画像表示器より通信要求がない場合（ステップＳ３：Ｎｏ）は、ステップＳ２へ戻る。
【００６８】
ステップＳ３において隣接している画像表示器より通信要求がある場合（ステップＳ３：Ｙｅｓ）は、通信終了フラグ（Ｅ＝１）が立っているか否かを検出する（ステップＳ４）。ここで、通信終了フラグが立っている場合（ステップＳ４：Ｙｅｓ）は、通信要求を拒否する（ステップＳ５）。この後は、ステップＳ２へ戻る。一方、通信終了フラグが立っていない場合（ステップＳ４：Ｙｅｓ）は、隣接する画像表示器より画像データを受信する（ステップＳ６）。この後、ステップＳ７へ移る。
【００６９】
ステップＳ２においてダブルクリックを検出した画像表示器がある場合（ステップＳ２：Ｙｅｓ）、またはステップＳ６の処理が終了した場合は、当該画像表示器が通信ライン状態を検知する（ステップＳ７）。そして、通信可能か否かを検出する（ステップＳ８）。ここで、通信が不可能であることが検出された場合（ステップＳ８：Ｎｏ）は、乱数Ｎを発生させる（ステップＳ９）。そして、一定時間待つ（ステップＳ１０）。続いて、乱数ＮにＮ−１をセットする（ステップＳ１１）。乱数Ｎが０になったか否かを検出する（ステップＳ１２）。ここで、乱数Ｎが０になった場合（ステップＳ１２：Ｙｅｓ）は、ステップＳ７へ戻る。一方、乱数Ｎが０になっていない場合（ステップＳ１２：Ｎｏ）は、ステップＳ１０へ戻る。ステップＳ９〜Ｓ１２の処理は、画像表示器間における通信不能の場合の待機処理である。
【００７０】
ステップＳ８において通信が可能であることが検出された場合（ステップＳ８：Ｙｅｓ）は、Ｍ＝３か否かを判定する（ステップＳ１３）（図２８−２を参照）。ここで、Ｍ＝３である場合（ステップＳ１３：Ｙｅｓ）は、左側に隣接している画像表示器に対して通信要求する（ステップＳ１４）（図２８−３を参照）。左側に隣接している画像表示器がＥ＝１であるか否かを検出する（ステップＳ１５）。ここで、左側に隣接している画像表示器がＥ＝１でない場合（ステップＳ１５：Ｎｏ）は、画像データを送信する（ステップＳ１６）。一方、ステップＳ１５において左側に隣接している画像表示器がＥ＝１である場合（ステップＳ１５：Ｙｅｓ）、またはステップＳ１６の処理が終了した場合は、ＭにＭ−１をセットする（ステップＳ１７）。この後は、図２８−２のステップＳ１８へ移る。
【００７１】
図２８−２のステップＳ１３においてＭ＝３でない場合（ステップＳ１３：Ｎｏ）、または図２８−３のステップＳ１７の処理が終了した場合は、Ｍ＝２か否かを判定する（ステップＳ１８）。ここで、Ｍ＝２である場合（ステップＳ１８：Ｙｅｓ）は、上側に隣接している画像表示器に対して通信要求する（ステップＳ１９）（図２８−４参照）。上側に隣接している画像表示器がＥ＝１であるか否かを検出する（ステップＳ２０）。ここで、上側に隣接している画像表示器がＥ＝１でない場合（ステップＳ２０：Ｎｏ）は、画像データを送信する（ステップＳ２１）。一方、ステップＳ２０において上側に隣接している画像表示器がＥ＝１である場合（ステップＳ２０：Ｙｅｓ）、またはステップＳ２１の処理が終了した場合は、ＭにＭ−１をセットする（ステップＳ２２）。この後は、図２８−２のステップＳ２３へ移る。
【００７２】
図２８−２のステップＳ１８においてＭ＝２でない場合（ステップＳ１８：Ｎｏ）、または図２８−４のステップＳ２２の処理が終了した場合は、Ｍ＝１か否かを判定する（ステップＳ２３）。ここで、Ｍ＝１である場合（ステップＳ２３：Ｙｅｓ）は、右側に隣接している画像表示器に対して通信要求する（ステップＳ２４）（図２８−５を参照）。右側に隣接している画像表示器がＥ＝１であるか否かを検出する（ステップＳ２５）。ここで、右側に隣接している画像表示器がＥ＝１でない場合（ステップＳ２５：Ｎｏ）は、画像データを送信する（ステップＳ２６）。一方、ステップＳ２５において右側に隣接している画像表示器がＥ＝１である場合（ステップＳ２５：Ｙｅｓ）、またはステップＳ２６の処理が終了した場合は、ＭにＭ−１をセットする（ステップＳ２７）。この後は、図２８−２のステップＳ２８へ移る。
【００７３】
図２８−２のステップＳ２３においてＭ＝１でない場合（ステップＳ２３：Ｎｏ）、または図２８−５のステップＳ２７の処理が終了した場合は、Ｍ＝０か否かを判定する（ステップＳ２８）。ここで、Ｍ＝０である場合（ステップＳ２８：Ｙｅｓ）は、下側に隣接している画像表示器に対して通信要求する（ステップＳ２９）（図２８−６を参照）。下側に隣接している画像表示器がＥ＝１であるか否かを検出する（ステップＳ３０）。ここで、下側に隣接している画像表示器がＥ＝１でない場合（ステップＳ３０：Ｎｏ）は、画像データを送信する（ステップＳ３１）。一方、ステップＳ３０において下側に隣接している画像表示器がＥ＝１である場合（ステップＳ３０：Ｙｅｓ）、またはステップＳ３１の処理が終了した場合は、ＭにＭ−１をセットする（ステップＳ３２）。この後は、図２８−２のステップＳ３３へ移る。
【００７４】
図２８−２のステップＳ２８においてＭ＝０でない場合（ステップＳ２８：Ｎｏ）、または図２８−６のステップＳ３２の処理が終了した場合は、通信終了フラグ（Ｅ＝１）を設定する（ステップＳ３３）。続いて、全体画像に対する自己のパートを表示する（ステップＳ３４）。具体的には、画像表示器は、自らが保持していた画像データを退避して、新たに受け取った画像データに基づく全体画像に対する自己のパートを表示する。次に、画像表示フラグ（Ｄ＝１）を設定する（ステップＳ３５）。
【００７５】
続いて、いずれかの画像表示器がダブルクリックされたか否かを検出する（ステップＳ３５）（図２８−７を参照）。この実施例の表示装置３００では、画像が拡大表示された後、いずれかの画像表示器の表示面をダブルクリックすることで、最初の画像表示（各画像表示器独自の画像表示）状態に戻る。ここで、ダブルクリックを検出した画像表示器がない場合（ステップＳ３６：Ｎｏ）は、再度ステップＳ３６の処理を行う。一方、ダブルクリックを検出した画像表示器がある場合（ステップＳ３６：Ｙｅｓ）は、元画像の表示状態に戻る（ステップＳ３７）。具体的には、各画像表示器はいっせいに拡大画像の表示をやめ、元画像（各画像表示器独自の画像）の表示状態に戻る。この後は、図２８−１のステップＳ１に戻る。
【００７６】
以上説明したように、この実施例にかかる表示装置によれば、簡易な操作で、一つの画像表示器に表示されている画像を表示装置の表示部全体に拡大表示することができる。また、簡易な操作で、表示装置の表示部全体に拡大表示されている画像を、一つの画像表示器に縮小表示することができる。
【００７７】
前述した実施例では、法則（１）〜（７）にしたがって画像データの送受信を行い、図１２と図２５に示したような拡大表示と縮小表示の切換を行う構成を説明した。これとは別の方法で行っても良いことはいうまでもない。ダブルクリックされた画像表示器から画像データをする方法に変えて、ダブルクリックされた画像表示器を画像表示器Ａの制御手段で検知し、検知された画像表示器に表示されていた画像を画像表示器Ａから各画像表示器に画像データを配信するようにしてもよい。
【００７８】
また、各画像表示器を同一のプログラムで制御することができる。しかも、表示装置を構成する画像表示器間における通信を、装置全体の中央部に位置する場合であっても装置の周辺部に位置する場合であってもスムーズに実行することができる。
【００７９】
また、この実施例の表示装置では、すべての画像表示器が同じ画像データを保持する必要がなく、いずれか一つに画像表示器が保持している画像データを他の画像表示器へ送信することで、容易に拡大画像の表示ができる。このため、表示装置全体としては、多くの種類の画像データを保持し、利用することができるようになり、効率的な画像処理が可能になる。さらに、各々の画像表示器が４方向を順次規則的に通信するため、たとえ４方向のうち３つの方向の通信経路が通信不能（再起不能なコリジョン発生や通信素子の損傷による通信不能状態）でも、最後の１つの通信ルートが確保されていれば通信が可能となる。このため、欠陥、損傷、エラーに対して強いという効果がある。
【図面の簡単な説明】
【００８０】
【図１】この発明の実施の形態にかかる表示装置の機能的構成を示すブロック図である。
【図２】この発明の実施の形態にかかる表示装置の機能の概略を説明するための図である。
【図３】この発明の実施例にかかる表示装置の形状を示す模式図である。
【図４】操作機能および制御機能を備えた画像表示器の構造の一例を示す図である。
【図５】バスライン層の概略構成の一例を示す図である。
【図６】バスライン層の概略構成の一例を示す図である。
【図７】操作機能、制御機能および音声出力機能を備えた画像表示器の構造の一例を示す図である。
【図８】操作機能、制御機能および電源を備えた画像表示器の構造の一例を示す図である。
【図９】表示装置の接続部材の構成を説明するための図である。
【図１０】表示装置の接続部材の構成を説明するための図である。
【図１１】この実施例にかかる表示装置における画像データの流れの概要を説明するための図である。
【図１２】画像の拡大処理の開始を説明するための図である。
【図１３】拡大画像表示を行う場合の画像データの送受信を説明するための図である。
【図１４】拡大画像表示を行う場合の画像データの送受信を説明するための図である。
【図１５】拡大画像表示を行う場合の画像データの送受信を説明するための図である。
【図１６】拡大画像表示を行う場合の画像データの送受信を説明するための図である。
【図１７】拡大画像表示を行う場合の画像データの送受信を説明するための図である。
【図１８】拡大画像表示を行う場合の画像データの送受信を説明するための図である。
【図１９】拡大画像表示を行う場合の画像データの送受信を説明するための図である。
【図２０】拡大画像表示を行う場合の画像データの送受信を説明するための図である。
【図２１】拡大画像表示を行う場合の画像データの送受信を説明するための図である。
【図２２】拡大画像表示を行う場合の画像データの送受信を説明するための図である。
【図２３】拡大画像表示を行う場合の画像データの送受信を説明するための図である。
【図２４】拡大画像表示を行う場合の画像データの送受信を説明するための図である。
【図２５】画像の縮小処理の開始を説明するための図である。
【図２６】縮小画像表示を行う場合の画像データの処理を説明するための図である。
【図２７】縮小画像表示を行う場合の画像データの処理を説明するための図である。
【図２８−１】この発明の実施例にかかる表示装置の処理の手順を示すフローチャートである。
【図２８−２】この発明の実施例にかかる表示装置の処理の手順を示すフローチャートである。
【図２８−３】この発明の実施例にかかる表示装置の処理の手順を示すフローチャートである。
【図２８−４】この発明の実施例にかかる表示装置の処理の手順を示すフローチャートである。
【図２８−５】この発明の実施例にかかる表示装置の処理の手順を示すフローチャートである。
【図２８−６】この発明の実施例にかかる表示装置の処理の手順を示すフローチャートである。
【図２８−７】この発明の実施例にかかる表示装置の処理の手順を示すフローチャートである。
【符号の説明】
【００８１】
１００，３００  表示装置
１０１，２００  表示部
１０２  バスライン
１０３  音声出力部
１０４  記憶部
１０５  スイッチ部
１０６  入出力部
１０７  電源部
１０８  制御部
２０１，３０１，３０２  画像表示器
３０３ａ，３０３ｂ，３０４ａ，３０４ｂ，３０５  接続部材
４０１  基盤層
４０２  半導体層
４０３  バスライン層
４０４  表示層
４０５  操作検出層
４０６  保護層
７０１  振動層
８０１  シート電源層
９０１  変位検出フィルム
【図１】
2007219312.tif 000003
【図２】
2007219312.tif 000004
【図３】
2007219312.tif 000005
【図４】
2007219312.tif 000006
【図５】
2007219312.tif 000007
【図６】
2007219312.tif 000008
【図７】
2007219312.tif 000009
【図８】
2007219312.tif 000010
【図９】
2007219312.tif 000011
【図１０】
2007219312.tif 000012
【図１１】
2007219312.tif 000013
【図１２】
2007219312.tif 000014
【図１３】
2007219312.tif 000015
【図１４】
2007219312.tif 000016
【図１５】
2007219312.tif 000017
【図１６】
2007219312.tif 000018
【図１７】
2007219312.tif 000019
【図１８】
2007219312.tif 000020
【図１９】
2007219312.tif 000021
【図２０】
2007219312.tif 000022
【図２１】
2007219312.tif 000023
【図２２】
2007219312.tif 000024
【図２３】
2007219312.tif 000025
【図２４】
2007219312.tif 000026
【図２５】
2007219312.tif 000027
【図２６】
2007219312.tif 000028
【図２７】
2007219312.tif 000029
【図２８−１】
2007219312.tif 000030
【図２８−２】
2007219312.tif 000031
【図２８−３】
2007219312.tif 000032
【図２８−４】
2007219312.tif 000033
【図２８−５】
2007219312.tif 000034
【図２８−６】
2007219312.tif 000035
【図２８−７】
2007219312.tif 000036
【手続補正書】
【提出日】平成18年11月21日(2006.11.21)
【手続補正１】
【補正対象書類名】特許請求の範囲
【補正対象項目名】全文
【補正方法】変更
【補正の内容】
【特許請求の範囲】
【請求項１】
少なくとも、第１、第２、第３の画像表示器からなる折り畳み可能な表示手段と、
少なくとも画像データを記憶する記憶手段と、
隣接する画像表示器間で通信を行うための通信手段と、
前記第１、第２、第３の画像表示器の各々に異なる第１、第２、第３の画像データを表示させる第１の表示形態と、前記第１、第２、第３の画像データの中から第１の画像データを前記表示手段に拡大表示する第２の表示形態との切換制御を行う制御手段と、を備え、
前記制御手段は、
前記第１の表示形態から前記第２の表示形態への切換を行う際に、
前記第１の画像データを、前記第１の画像表示器から前記第２の画像表示器へ配信し、前記第２の画像表示器が受け取った前記第１の画像データを、さらに前記第２の画像表示器から前記第３の画像表示器へ配信する制御を行うことを特徴とする表示装置。
【請求項２】
前記表示手段は、
前記第１の画像表示器が、前記第２の画像表示器と隣接しており、かつ、前記第３の画像表示器とは隣接しておらず、
前記第２の画像表示器が、前記第１の画像表示器と隣接しており、かつ、前記第３の画像表示器とも隣接している、ように構成されていることを特徴とする請求項１に記載の表示装置。
【請求項３】
ユーザからの入力を検知する検知手段をさらに備え、
前記制御手段は、
前記検知手段の検知結果に基づいて、前記第１の表示形態と前記第２の表示形態とを切り換えることを特徴とする請求項１または２に記載の表示装置。
【請求項４】
前記記憶手段は、
前記第１、第２、第３の画像表示器のそれぞれに備えられた第１の記憶手段と、
前記第１の記憶手段より記憶容量の大きい前記表示手段に備えられた第２の記憶手段と、から構成されていることを特徴とする請求項１〜３のいずれか一つに記載の表示装置。
【請求項５】
前記画像表示器の各々は、可撓性を有する接続部材を介して互いが接続されていることを特徴とする請求項１〜４のいずれか一つに記載の表示装置。
【請求項６】
前記表示手段は、
各画像表示器間の接続部で山折りまたは谷折りが可能であり、前記接続部材を折り目として所定の規則性をもって折り畳むことにより、一軸方向への伸縮によって開閉自在に構成されていること、を特徴とする請求項５に記載の表示装置。
【手続補正２】
【補正対象書類名】明細書
【補正対象項目名】０００８
【補正方法】変更
【補正の内容】
【０００８】
この発明にかかる表示装置は、少なくとも、第１、第２、第３の画像表示器からなる折り畳み可能な表示手段と、少なくとも画像データを記憶する記憶手段と、隣接する画像表示器間で通信を行うための通信手段と、前記第１、第２、第３の画像表示器の各々に異なる第１、第２、第３の画像データを表示させる第１の表示形態と、前記第１、第２、第３の画像データの中から第１の画像データを前記表示手段に拡大表示する第２の表示形態との切換制御を行う制御手段と、を備え、前記制御手段は、前記第１の表示形態から前記第２の表示形態への切換を行う際に、前記第１の画像データを、前記第１の画像表示器から前記第２の画像表示器へ配信し、前記第２の画像表示器が受け取った前記第１の画像データを、さらに前記第２の画像表示器から前記第３の画像表示器へ配信する制御を行うことを特徴とする。